(57)【要約】      （修正有）【課題】手すり付き安全足場の構造を提供する。【解決手段】主にドア型フレーム１１、筋交い１２と足場板１３を含む手すり付き安全足場の構造１である。本考案は足場板１３の位置を下方に移動することで、手すりを設置するスペースを作り、更に筋交い１２の位置とその形態により、手すりを形成する。また、サイドフェンスの隙間Ｇを縮小することで、足場構造がより安全な効果に達する。【選択図】図８
0003202588.tif 000002
【実用新案登録請求の範囲】
【請求項１】
ドア型フレーム、筋交いと足場板を含み、
該ドア型フレームは横棒を低い端にて複数本の平行する柱１１２と接続し、柱上には結合止め金を設置し、
該筋交い１２は複数本の接合穴１２２を設けた連けい材を組み合わせたものであり、該接合穴１２２はドア型フレーム１１上の結合止め金１１３と互いに接合でき、交差する方法で、ドア型フレームとドア型フレームを連結し、或いは、接合ボルト１２３と別の連けい材と互いに接合し、
足場を各二つの隣り合うドア型フレームの横棒上に架設することを特徴とする手すり付き安全足場の構造。
【請求項２】
前記ドア型フレームの横棒と柱の結合方法は、溶接で結合する方法にすることができることを特徴とする請求項１記載の手すり付き安全足場の構造。
【請求項３】
前記ドア型フレームの横棒と柱の結合方法は、ボルトによる固定方法にすることができることを特徴とする請求項１記載の手すり付き安全足場の構造。
【請求項４】
前記横棒の下方に、横棒支持構造を設置することができることを特徴とする請求項１記載の手すり付き安全足場の構造。
【請求項５】
前記横棒支持構造は、円弧状の支持構造にすることができることを特徴とする請求項４記載の手すり付き安全足場の構造。
【請求項６】
前記横棒支持構造は、八の字型支持構造にすることができることを特徴とする請求項４記載の手すり付き安全足場の構造。
【請求項７】
前記ドア型フレームは、重型支持スタンドにすることができることを特徴とする請求項１記載の手すり付き安全足場の構造。
【請求項８】
前記ドア型フレームは鉄骨構造のスタンドにすることができることを特徴とする請求項１記載の手すり付き安全足場の構造。
【請求項９】
前記ドア型フレームは可動の作業スタンドにすることができることを特徴とする請求項１記載の手すり付き安全足場の構造。
【請求項１０】
前記筋交いは、三本タイプの連けい材で組み立てられることを特徴とする請求項１記載の手すり付き安全足場の構造。
【請求項１１】
前記筋交いは、二本タイプの連けい材で組み立てられることを特徴とする請求項１記載の手すり付き安全足場の構造。
【請求項１２】
前記接合ボルトは、固定タイプの接合ボルトにすることができることを特徴とする請求項１記載の手すり付き安全足場の構造。
【請求項１３】
前記接合ボルトは、取り外し可能な接合ボルトにすることができることを特徴とする請求項１記載の手すり付き安全足場の構造。
【考案の詳細な説明】
【技術分野】
【０００１】
本考案は一種の足場構造に関し、特に一種の足場構造のドア型フレームについて改善することで、足場構造の足場板の位置を下方に移動することで手すりを設置できるスペースが生まれる。更に筋交いの位置調整をすることで、改善するドア型フレームの柱で手すりを構成し且つサイドフェンスの隙間を縮小する形態になり、手すりを先行する工法を実施する必要がなくても、関連する安全法規に見合う手すり付き安全足場の構造に関する。
【背景技術】
【０００２】
現行法規が「手すりの先行工法」に対する規定に基づき、地面から高さ２メートルを超える位置に足場を建設するには、まず先に墜落防止の設備を設置するべきである。つまり、ドア型フレームの上方にまず掛具及び先行手すり枠を設置し、それを第三段の足場のフェンスとして組み立ててから初めて、足場の建設を続行することができるため、建設のプロセスはかなり繁雑である。
【０００３】
「先行手すり」の目的とは、施工作業員の安全をより守るためのものであるが、しかし、墜落防止設備を設置するために、施工作業員が高空での作業時間が更に長く、プロセスも多くなるなど、返ってリスクが高くなったことを鑑みて、更なる改善が必要であった。
【先行技術文献】
【特許文献】
【０００４】
【特許文献１】特開２０１０−２７５７７２号公報
【考案の概要】
【考案が解決しようとする課題】
【０００５】
前記公知構造の欠点を鑑みて、本考案で解決したいのは、足場を建設する際に、遵守すべき「手すり先行工法」により、繁雑な建設プロセスになったことである。同時に足場建設を完成後に施工する際の安全性を高めることのできる、手すり付き安全足場の構造を提供することを主な課題とする。
【課題を解決するための手段】
【０００６】
上述の目的を解決する方法として、足場本体構造の改造により、先行手すりの効果に達する。従来の掛具と先行手すり枠を使ってフェンスを組み立てる方法の代わりに、本考案の手すり付き安全足場の構造に含まれるものは下記の通りである。
【０００７】
１、ドア型フレーム：従来のドア型フレームを基礎に改善を行い、横棒の位置を柱の一番低い端にまで移動する。
【０００８】
２、筋交い：本考案で三本タイプの筋交いを採用する。まず中段の連けい材を水平にして両端にある接合穴を二つのドア型フレームの結合止め金に接合し、更に両端にある連けい材を交差してドア型フレームの結合止め金と互いに接合することで、連けい材が安全フェンスの効果を持つ。
【０００９】
３、足場板：隣り合う二つのドア型フレームの横棒の上に設置する。
【００１０】
本考案の主な特徴は、建設過程において、墜落防止の設備部品を別途使用する必要がなくとも、先行手すりを形成し、フェンスの効果を成す。
【００１１】
本考案の次の特徴は、建設完成後に施工する際、筋交いの位置調整により、足場構造のサイドフェンスの隙間を縮小できるため、施工作業員が例え施工中に突発的な障害になったとしても、墜落して死傷者が出る情事にならない。
【考案の効果】
【００１２】
本考案の構造により、足場板の位置を下方に移動することで、手すりを設置するスペースを作り、更に筋交いの位置とその形態により、手すりを形成する。また、足場板１３と筋交い１２によって形成するサイドフェンスの隙間Ｇは従来技術より縮小できたことで、足場構造がより安全な効果に達する。
【図面の簡単な説明】
【００１３】
【図１】従来技術の足場構造の立体略図である。
【図２Ａ】従来技術の足場構造の建設ステップ略図(一)である。
【図２Ｂ】従来技術の足場構造の建設ステップ略図(二)である。
【図２Ｃ】従来技術の足場構造の建設ステップ略図(三)である。
【図２Ｄ】従来技術の足場構造の建設ステップ略図(四)である。
【図２Ｅ】従来技術の足場構造の建設ステップ略図(五)である。
【図２Ｆ】従来技術の足場構造の建設ステップ略図(六)である。
【図３Ａ】従来技術の足場構造の安全実施方法の略図(一)である。
【図３Ｂ】従来技術の足場構造の安全実施方法の略図(二)である。
【図３Ｃ】従来技術の足場構造の安全実施方法の略図(三)である。
【図４Ａ】従来技術のドア型フレームの構造略図である。
【図４Ｂ】本考案のドア型フレームの構造略図である。
【図５Ａ】従来技術の足場構造を建設する際にドア型フレームを架設するステップの略図である。
【図５Ｂ】本考案の手すり付き安全足場の構造にドア型フレームを架設するステップ略図である。
【図６】本考案の案例で採用する三本タイプの筋交いの実施略図である。
【図７Ａ】本考案の手すり付き安全足場の構造の建設ステップ略図 (一) である。
【図７Ｂ】本考案の手すり付き安全足場の構造の建設ステップ略図 (二) である。
【図７Ｃ】本考案の手すり付き安全足場の構造の建設ステップ略図 (三) である。
【図８】本考案の手すり付き安全足場の構造の立体略図である。
【考案を実施するための形態】
【００１４】
以下、本考案の構造と特徴および効果を、最良実施例と図面を参照しながら詳細に説明する。
【実施例】
【００１５】
本考案の手すり付き安全足場の構造は、従来技術の足場構造の建設過程及び施工過程の中で、その他の追加すべき安全設備の繁雑なプロセス及び施工時間を改善したことにより、有効的に高空での作業時間を減少し、リスクが発生する確率を下げて安全性を高める。
【００１６】
図１に示すのは、従来技術の足場構造である。図で分かるように、従来の足場構造１’で、該足場板１３は従来技術のドア型フレーム１１’の構造に基づき、中心のやや上の位置に設置する。従来技術の筋交い１２’は足場板１３の下方に位置する。施工作業員が足場板の上に立つ時、サイドフェンスに墜落防止設備がないため、大変危険である。
【００１７】
図２Ａから図２Ｆに示すように、従来技術の足場構造１’を建設する過程において、まず上層構造の墜落防止設備を設置する。
【００１８】
足場の墜落防止設備を建設する際に、架設する過程は下記の通りである：
図２Ａ、上層に従来のドア型フレーム１１’を架設する。
図２Ｂ、墜落防止設備の掛具２を架設する。
図２Ｃ、墜落防止設備の手すりフェンス３を架設する。
図２Ｄ、上層足場構造の足場板１３を架設する。
図２Ｅ、上層足場構造の筋交い１２’を架設する。
図２Ｆ、先行手すりフレーム３を取り除く。
【００１９】
図３Ａから図３Ｃに示すように、足場構造を建設完了した後、施工の安全面において、施工作業員が突発的な障害により足場から転落するのを防止するために、各国では安全性の部品を増設することで、作業員が墜落する確率を下げるために尽力を尽くしている。
【００２０】
図３Ａから図３Ｃに示すのは、従来技術の足場構造１’が施工期間に採用する安全措置である。図３Ａに示すのは、横棒４’を付け足すものである。図３Ｂは足止板５を付け足すものである。図３Ｃは同時に横棒４と足止板５を付け足すものである。いずれもサイドフェンスの隙間Ｇ’を縮小しようと企てたものである。
【００２１】
ただ、この類の安全部品を増設する方法は、建設する際と同じ墜落防止設備を採用しているものである。更に架設をする場合、部品が増えることで架設するステップが比較的多くなるため、高空での作業時間もそれに従って長くなり、返って危険が発生する確率が高くなる。
【００２２】
図４Ａと図４Ｂに示すのは、本考案の考案者が従来技術のドア型フレーム１１’の構造を改善し、完成したのがドア型フレーム１１である。
【００２３】
（図４Ａと図４Ｂ）
１、従来技術のドア型フレーム１１’の横棒１１１を下方に移動することで、ドア型フレーム１１の重心が一緒に下方に移動し、ドア型フレーム１１を架設する際の安全性を高める。更に図１に示すように、横棒１１１の上に架設する足場板がそれに従ってドア型フレーム１１の中心よりやや下方にまで移動することにより、ドア型フレーム１１の柱１１２が足場板より上に突出する長さが増し、手すりを形成する効果を得る。
【００２４】
２、結合止め金１１３の位置を調整する：下方の結合止め金１１３を横棒１１１の位置より低く設計する。本考案のように、結合止め金１１３を横棒支持構造１１１１と横棒１１１の間に設計する。この設計により建築完成した足場構造のサイドフェンスの隙間Ｇ’が有効的に小さくなり、(図３Ａから図３Ｃを参照)墜落防止の安全性を高める。
【００２５】
図５Ａと図５Ｂに示すのは、ドア型フレーム１１の重心が下方に移動することにより、安全性の違いを示すものである。
【００２６】
図５Ａは従来技術の足場構造１’の中での、従来技術のドア型フレーム１１’を用いて上層の足場構造を建築する略図である。図で分かるように、従来技術のドア型フレーム１１’の重心は中央よりやや上方に位置するため、施工作業員が建築時にそれを上げた際に、該作業員の手持ち位置から従来技術のドア型フレーム１１’の重心までの長さがアームＸ’であり、それは図５Ｂの手すり付き安全足場の構造１の、施工作業員の手持ち位置からドア型フレーム１１のアームＸまでの距離より長い。よって、重さが同じである場合、従来のドア型フレーム１１’のモメントＭ’は、本考案のドア型レー無１１のモメントＭより大きいため、施工作業員が高空にて足場を建築するためにドア型フレームを上げた際に、持ち上げにくい状況が比較的起こりやすい。本考案のドア型フレーム１１の構造でドア型フレーム１１を架設するステップは、かなり安全なものになる。
【００２７】
図６に示すように、本考案において、考案者は筋交い１２の部分において、三本タイプの連けい材１２１を採用する。該連けい材１２１は図４Ｂに示すように、該ドア型フレーム１１の結合止め金１１３と互いに結合し、それによりドア型フレーム１１とドア型フレーム１１を連結する。連けい材１２１に接合穴１２２を設置し、図４Ｂに示すように、それを結合止め金１１３に挿入して結合するためのものであり、更に別の連けい材１２１とは接合ボルト１２３によって互いに接合する。
【００２８】
本考案にて述べる手すり付き安全足場の構造１の建設過程については、図７Ａから図７Ｃを参照。
【００２９】
１、図７Ａ−上層のドア型フレーム１１を組み立てる：改善したドア型フレーム１１の重心が下降し、ドア型フレーム１１の重心から施工作業員が持つ位置までのアームＸが短くなるため、施工時も相対的に安全である。
【００３０】
２、図７Ｂ−上層の筋交い１２を組み立てる：ドア型フレーム１１の結合止め金１１３の位置を調整することにより、施工作業員が下層構造にいるときに、筋交い１２の接合穴とドア型フレーム１１の結合止め金１１３を互いに結合することができ、図２Ｃに示すように、先行手すり枠３に類似したものを完成する。
【００３１】
３、図７Ｃ−上層の足場板１３を組み立てる：足場板１３と筋交い１２の間にあるサイドフェンスの隙間Ｇは、明らかに図３Ａから図３Ｂの従来の足場構造１’のサイドフェンスの隙間Ｇ’より小さい。
【００３２】
図８に示すのは、本考案の手すり付き安全足場の構造１の立体略図である。ドア型フレーム１１と隣り合うドア型フレーム１１との間は、筋交い１２を互いに交差することにより固定する。図４Ｂに示すように、足場板１３はドア型フレーム１１の横棒１１１の上方に設置する。該足場板１３と筋交い１２の間に形成するサイドフェンスの隙間Ｇは、従来の足場構造１’のサイドフェンスの隙間Ｇ’と比べ、(図３Ａから図３Ｂを参照)明らかに縮小する効果を具有し、有効的に安全性を高めることができる。
【符号の説明】
【００３３】
１  手すり付き安全足場の構造
１’従来の足場構造
１１  ドア型フレーム
１１’ドア型フレーム
１１１  横棒
１１１１  横棒支持構造
１１２  柱
１１３  結合止め金
１２  筋交い
１２’  筋交い
１２１  連けい材
１２２  接合穴
１２３  接合ボルト
１３  足場板
２  掛具
３  先行手すり枠
４  横棒
５  足止板
Ｇ  サイドフェンスの隙間
Ｇ’サイドフェンスの隙間
Ｗ  重心
Ｗ’重心
【図１】
0003202588.tif 000003
【図２Ａ】
0003202588.tif 000004
【図２Ｂ】
0003202588.tif 000005
【図２Ｃ】
0003202588.tif 000006
【図２Ｄ】
0003202588.tif 000007
【図２Ｅ】
0003202588.tif 000008
【図２Ｆ】
0003202588.tif 000009
【図３Ａ】
0003202588.tif 000010
【図３Ｂ】
0003202588.tif 000011
【図３Ｃ】
0003202588.tif 000012
【図４Ａ】
0003202588.tif 000013
【図４Ｂ】
0003202588.tif 000014
【図５Ａ】
0003202588.tif 000015
【図５Ｂ】
0003202588.tif 000016
【図６】
0003202588.tif 000017
【図７Ａ】
0003202588.tif 000018
【図７Ｂ】
0003202588.tif 000019
【図７Ｃ】
0003202588.tif 000020
【図８】
0003202588.tif 000021